(57)【要約】  【課題】  遮熱板の中央部に矩形状の凹部を設け、凹部に制御基板を配置し、凹部から遮熱板の左右両側端に延伸する溝部に、配線群を収納してなる構成とすることにより、遮熱板及び配線群が熱交換器の影響を受けず、かつ配線処理が容易にできるため、安全性及び組立て性を向上することができるファンコンベクタを提供する。  【解決手段】  筐体１の背面に吸込口を、前面に吹出口を設け、吸込口と吹出口とを結ぶ空気通路に、温水が流動する熱交換器８と、同熱交換器により熱交換された温風を前記吹出口に送出する送風ファン９とを設けるとともに、これらの前面に、熱交換器からの熱が筐体の前面に伝導するのを防止する遮熱板１０を設ける一方、配線群にて接続された制御基板１３を設けてなるファンコンベクタにおいて、  前記遮熱板に矩形状の凹部１０ａを設け、同凹部に前記制御基板を配置してなる構成とした。  【選択図】図３
2007040639.tif 000002
【特許請求の範囲】
【請求項１】
筐体の背面に吸込口を、前面に吹出口を設け、前記吸込口と前記吹出口とを結ぶ空気通路に、熱交換器と、同熱交換器からの温風を前記吹出口に送出する送風ファンとを配設し、前記熱交換器の前面に熱が本体前面に伝導するのを防止するとともに、前記空気通路を構成する遮熱板を設ける一方、機器の操作を制御する制御基板を設けてなるファンコンベクタにおいて、
前記遮熱板と前記筐体前面との間に前記制御基板を設けてなることを特徴とするファンコンベクタ。
【請求項２】
前記制御基板を前記遮熱板の中央部に設けてなることを特徴とする請求項１に記載のファンコンベクタ。
【請求項３】
前記遮熱板に凹部を設け、同凹部に前記制御基板を設けてなることを特徴とする請求項１または２に記載のファンコンベクタ。
【発明の詳細な説明】
【技術分野】
【０００１】
本発明は、ファンコンベクタと呼ばれる温水暖房機の室内機に係わり、より詳しくは、配線群にて接続された制御基板の取付け配置に関する。
【背景技術】
【０００２】
従来のファンコンベクタには、例えば図４および図５で示すようものが知られている（例えば、特許文献１参照。）。
図４及び図５で示すように、前面が開放されたリアパネル１’と、同リアパネル１’に装着される後面が開放されたフロントパネル２’と、これらの基部に設けられるベース４’及び同ベース４’の前面に装着されるフロントベース４ａ’とで本体を構成し、同本体の背面上部に吸込口５’が、前面下部には、吹出口６’が形成されている。
【０００３】
前記本体内の一側には、背面側を開口した収容部１１’が設けられ、吸込口５’と吹出口６’とを結ぶ空気通路には、吸込口５’に臨むように、多数のフィンに直交するように、蛇行状に配設された伝熱管とからなり、室外の温水ボイラと配線接続された放熱器９’が設けられている。また、その下流側には、ファンモータ（図示せず）により駆動され放熱器９’で加熱された空気を温風として室内に送出する送風ファン１０’が設けられている。また、これらの前面には放熱器９’から放出された熱がフロントパネル２’へ伝わることを防止する遮熱板３’がフロントパネル２’と平行となるように設けられている。
【０００４】
室外の温水ボイラから放熱器９’に温水が供給され、伝熱管内を流動するようになると、吸込口５’より吸込まれた空気が放熱器９’を通過する間に加熱され、加熱された空気は送風ファン１０’により吹出口６’から上下方向あるいは左右方向に偏向されて室内に送出されるようになっている。
前記収容部１１’には、多数の配線群を前面側に導出した制御基板１３’が遮熱板３’と略平行となるように前方に傾斜して設けられており、また、制御基板１３’の背面には、断面逆Ｌ字状に形成され、放熱器９’から放出された熱が制御基板１３’へ伝わることを防止するとともに、塵埃等が制御基板１２’の近辺へ侵入することを防止する遮蔽板１２’が設けられている。制御基板１３’が遮熱板３’と平行となるように設けられていることにより、これから前面側に導出された配線群が、放熱器９’の近傍を通過しないように配線整理を行うことができ、また、配線が同放熱器９’に接触してしまうというような不具合を防止できるようになっている。
【０００５】
しかしながら、上記従来の構造では、遮蔽板１２’の部品点数が増え、かつ、収容部１１’内の伝熱管はＵ字管９ａ’であり、このＵ字管９ａ’部分が最も温度が高くなる部分である。また収容部１１’の容積が小さいため、最も温度がこもる所であり、遮蔽板１２’を設けるだけでは、熱が制御基板１３’へ伝わることを防止するのに十分ではない。
【０００６】
【特許文献１】特開２００４−８４９６９号公報（３〜４頁、第１、３図）
【発明の開示】
【発明が解決しようとする課題】
【０００７】
本発明は上記の問題点に鑑み、遮熱板の中央部に矩形状の凹部を設け、凹部に制御基板を配置し、凹部から遮熱板の左右両側端に延伸する溝部に、配線群を収納してなる構成とすることにより、遮熱板及び配線群が熱交換器の影響を受けず、かつ配線処理が容易にできるため、安全性及び組立て性を向上することができるファンコンベクタを提供することを目的とする。
【課題を解決するための手段】
【０００８】
本発明は上述の課題を解決するため、筐体の背面に吸込口を、前面に吹出口を設け、前記吸込口と前記吹出口とを結ぶ空気通路に、熱交換器と、同熱交換器からの温風を前記吹出口に送出する送風ファンとを配設し、前記熱交換器の前面に熱が本体前面に伝導するのを防止するとともに、前記空気通路を構成する遮熱板を設ける一方、機器の操作を制御する制御基板を設けてなるファンコンベクタにおいて、
前記遮熱板と前記筐体前面との間に前記制御基板を設けてなる構成となっている。
【０００９】
また、前記制御基板を前記遮熱板の中央部に設けてなる構成となっている。
【００１０】
また、前記遮熱板に凹部を設け、同凹部に前記制御基板を設けてなる構成となっている。
【発明の効果】
【００１１】
本発明によれば、請求項１の遮熱板と筐体前面との間に制御基板を設けることにより、制御基板上の電子部品および配線群が熱交換器の熱の影響を受け難くなるため、安全性及び信頼性を向上できる。請求項２の制御基板を遮熱板の中央部に設けることにより、制御基板からファンモータ等の各部への配線群の配線処理が容易にできるため、組立て性を向上できる。また、請求項３の遮熱板に凹部を設け、同凹部に制御基板を設けることにより、騒音を減少することができる。
【発明を実施するための最良の形態】
【００１２】
以下、本発明のファンコンベクタの実施の形態を、添付図面に基づいた実施例として詳細に説明する。
図１は本発明におけるファンコンベクタの要部縦断面図である。
図２は本発明における遮熱板に制御基板を取付けた状態の要部斜視図である。
図３は本発明における図２に制御基板からの配線群を加えた要部斜視図である。
【実施例１】
【００１３】
以下、本発明の実施例１を図１、図２、および図３に基づいて説明する。
図１および図２において、１はファンコンベクタ本体を構成する筐体、２は床面に載置される前記筐体１を構成するスタンド、３は前面が開放された樹脂製の背面パネル、４は後面が開放され前記背面パネル３に被着される前面パネルで、これらにより本体を構成している。
【００１４】
５は前記筐体１の背面上部に設けられた吸込口、６は前面下部に設けられた送風ケーシング７からなる吹出口、８はこれら吸込口５および吹出口６を結ぶ空気通路７に設けられ、前記吸込口５に臨ませて、温水を循環することにより前記吸込口５から吸い込まれた吸込空気を熱交換する熱交換器、９は前記送風ケーシング７に収納され、前記熱交換器８により熱交換された温風を前記吹出口６に送出するための送風ファン、１０は前記筐体１の上面、前面および両側面との間に所定の間隔をなし同筐体１内に配置され、空気通路１２を形成してなる第１遮熱板で、前記熱交換器８により熱交換された温風による熱を、前記前面パネル４に伝わらないようにしている。
【００１５】
１１は前記第１遮熱板１０の下部に設けられ、フロントギャップ部を備えた空気通路１２を形成してなる第２遮熱板で、前記第１遮熱板１０と同様に、前記熱交換器８により熱交換された温風による熱を、前記前面パネル４に伝わらないようにしている。そして、前記第１遮熱板１０と前記第２遮熱板１１は、図３に示すように、ネジ１４ａ及び１５ａにより、前記背面パネル３に取付けられている。
【００１６】
本発明では前記第１遮熱板１０と前記第２遮熱板１１とを分割できるようにしてあるが、これは前記熱交換器８が埃等により汚れ易いため、熱交換器８の清掃作業を容易に行えるようにするため、前記熱交換器８に対向する第１遮熱板１０と、ファンモータを収容する第２遮熱板１１とに分割し、前面パネル４と第１遮熱板１０を取り外すだけで、筐体１を直立に保ったまま容易に熱交換器８の清掃が行えようにしたものである。
後述する本発明の遮熱板へ制御基板１３を取付ける構成においては、前記第１遮熱板１０と前記第２遮熱板１１とを分割しなくてもよい。
【００１７】
図２に示すように、前記第１遮熱板１０の前面のほぼ中央部には矩形状の凹部１０ａ設けられ、同凹部１０ａの下部から前記第１遮熱板１０の左右両側端に延伸する溝部１０ｂ，１０ｃと、前記凹部１０ａの中央部から、前記第１遮熱板１０の右側端に延伸する溝部１０ｄと、前記第１遮熱板１０の右側に一部延びる深溝にした深溝部１０ｅがそれぞれ設けられている。
【００１８】
図３に示すように、前記凹部１０ａには前記送風ファン９を駆動するファンモータや操作部等の制御を行う制御基板１３が収容されている。そして、前記第１遮熱板１０は図１に示すように、空気通路１２を形成している。前記熱交換器８により熱交換された温風は前記第１遮熱板１０に沿って流れ、同第１遮熱板１０は熱により温度上昇する。また、前記制御基板１３は裏面側に部品のリード足や半田が突出しているが、グロメット１６やフック１７により、前記第１遮熱板１０から一定の隙間を設けて取付けられているため、前記第１遮熱板１０の熱の影響を直接受けることがない。
前記凹部１０ａは前記第１遮熱板１０のどこに設けても良い。しかし、前記凹部１０ａを前記第１遮熱板１０の中央部に設けることにより送風による騒音を減少することができる。
【００１９】
また、前記制御基板１３からの配線群は前記各溝部を経由してファンモータ等に接続されている。例えば、図３に示すように、制御基板１３とファンモータＭとを接続する配線１８は、他の配線と束ねられ溝部１０ｃに収納され、クランパ１９やワイヤクランパ２０により配線処理され、配線１８の両端のコネクタにより接続される。このため、配線群は前記熱交換器８のＵ字管と接触するおそれがない。また前記制御基板１３上の電子部品も、従来と比較すると、熱交換器８との距離を十分とれるので、Ｕ字管からの放熱の影響を受けず安全性を向上でき、従来と比べて、前記熱交換器８と前記制御基板１３との距離が確保できるため、熱的に安全性を高めることができる。また、前記第１遮熱板１０の左右両側端に延伸する溝部１０ｂ，１０ｃ，１０ｄ及び１０ｅに配線群を収納し、配線処理が容易にできるため、組立て性を向上することができる。
【００２０】
上記に説明したように、本発明によれば、前記遮熱板の中央部に矩形状の凹部を設け、同凹部に前記制御基板を配置し、前記凹部から前記遮熱板の左右両側端に延伸する溝部に、配線群を収納してなる構成とすることにより、前記遮熱板及び配線群が熱交換器の影響を受けず、かつ配線処理が容易にできるため、安全性及び組立て性を向上することができるファンコンベクタとなる。
【図面の簡単な説明】
【００２１】
【図１】本発明におけるファンコンベクタの縦断面図である。
【図２】本発明における遮熱板に制御基板を取付けた状態の要部斜視図である。
【図３】本発明における図２に制御基板からの配線群を加えた要部斜視図である。
【図４】従来例におけるファンコンベクタの縦断面図である。
【図５】従来例における収納部に制御基板を取付けた状態の要部斜視図である。
【符号の説明】
【００２２】
１  筐体（ファンコンベクタ）
２  ベース
３  背面パネル
４  前面パネル
５  吸込口
６  吹出口
７  送風ケーシング
８  熱交換器  
９  送風ファン
１０  第１遮熱板
１０ａ  凹部
１０ｂ
１０ｃ
１０ｄ
１０ｅ
１１  第２遮熱板
１１ａ  フロントギャップ部
１３  制御基板
１４ａ，１５ａ  ネジ
１６  グロメット
１７  フック
１８  配線
１９  クランパ
２０  ワイヤクランパ
【図１】
2007040639.tif 000003
【図２】
2007040639.tif 000004
【図３】
2007040639.tif 000005
【図４】
2007040639.tif 000006
【図５】
2007040639.tif 000007